(57)【要約】      （修正有）【課題】皮膚表面の刺激を身体内部に及ぼし、腹部不調を改善するための健康補助用具を提供する。【解決手段】補強された腹部用ベルトの主要部分１に複数個の円孔４を設け、円孔内に硬質の球体３を設定する。円孔内の硬質の球体３が回転軸によって円孔から脱落しない構成で、手動によって腹部用ベルトの主要部分の外周を回転移動するローラーベルト２に設定された硬質のローラー５が硬質の球体と衝突して衝撃が腹部内臓器官を刺激する。【選択図】図１
2017164432.tif 000002
【特許請求の範囲】
【請求項１】
補強されたベルトの主要部に、複数個の円孔を設け、円孔内に硬質の球体を設定する。
この硬質の球体が、このベルトと接しながら外周を移動するベルトに設定された、複数個の硬質のローラーと衝突して生じる衝撃が、人体を刺激する構成のベルトである。
【発明の詳細な説明】
【技術分野】
【０００１】  腹部不調改善のための健康補助用具に関する。
【背景技術】
【０００２】  平成２６年５月、Ｙ紙に「腸の不調は腸の運動不足。腸に刺激と運動を」という専門家の意見とエクササイズが載った。不調に悩む私は早速実行したが、「身体表面の刺激を体内深部に及ぼす」と言う基本が難しく閉口した。機器の利用を考えたが思わしいものはなく、「身体表面の刺激を身体内部に及ぼす用具」の自作を考えた。試行錯誤を経て、「機材の一部の衝突によるエネルギーを身体への刺激に使う」というアイデアを思いついた。試作品を１０人のテスターに使ってもらうと、全員から有効の答えが返ってきた。そこでこのたび、腹部不調に悩む多くの方への朗報として出願した次第である。
【技術文献】
【０００３】  （イ）平成２６年５月４日付読売新聞  「家庭の医療欄」
（ロ）平成２７年６月１０日  実用新案登録第３１９８３８０号  （本人出願）
【発明の概要】
【発明が解決しようとする課題】
【０００４】  本発明は、皮膚表面の刺激を身体内部に及ぼし、腹部不調を改善するための補助用具の開発を課題とする。
【課題を解決するための手段】
【０００５】（イ）やや柔軟性のある樹脂板を用いて、２枚の合同な幅広のベルトを形成し、２枚を重ねた中心線上に一定間隔を置いて同一の円孔を配列する。円孔の中に入れる硬質の球体の直径部分に、ナイロンコードを通して数珠繋ぎに連結し、ナイロンコードはメインベルトの両方の先端部に、ボルトにより固定する。２枚の樹脂板の間の円孔内にはナイロンコードをたるみなく張って球体を設定する。上下の樹脂板を強く接着して「メインベルト」と名付ける。「メインベルト」の左右の端末には、装着用のゴムベルトと、それに連結するボタンボルトを設定する。ゴムベルトは、メインベルトに細長の孔を設け、そこに先端を入れて固定する。ボタンボルトは、ゴムベルトのフックと、ナイロンコードの先端を、メインベルトに接続させる。
（ロ）「メインベルト」と合同な「ローラーベルト」を形成する。ローラーベルトの樹脂板の左右の端末には、「メインベルト」と同じようにゴムベルトとボタンボルトを設定し、装着に使う。「ローラーベルト」の残りの主要部分には、中心線に沿って「メインベルト」の円孔と位置も大きさも全く一致する円孔を設ける。
（ハ）「ローラーベルト」のすべての円孔に、直径も長さも円孔の直径より小さい硬質材の円筒形のローラーを配置し、ローラーの回転軸を２枚の樹脂板の間に挟むように、中心線に直角に設定する。個々の軸が動かないように固定し、２枚の樹脂板を硬く接着させる。
（ニ）「ローラーベルト」はメインベルトの上に重ねて装着して使う。「ローラーベルト」の中央部の左右に、ハンドレバーを設定し、これを両手に握って、「ローラーベルト」を腹部周囲に移動させ、それと共に上半身をハンドレバーの移動方向に回転させる。「ローラーベルト」は「メインベルト」の外周を移動して「ローラーベルト」のローラーが、「メインベルト」の球体と衝突し、衝突のエネルギーが衝撃となって人体組織を伝導して、内臓および各器官を刺激する。これにより腹部の活性化が図られる。
本発明の課題解決手段は以上の通りである。
【発明の効果】
【０００６】（イ）本発明の効果は、テストによって、身体表面の刺激が身体内部に及び、腹部の不調による諸症状が改善された点が、最も特徴的である。特に便秘の改善に効果がある。
（ロ）本発明の刺激が身体組織を通して、身体内部に伝導されることは、本発明を着衣の上から使用しても、身体表面および内部に刺激が伝わり、効果が実感された。これにより、使用上の制約が少なくなり、利用範囲の広がりが可能である。
（ハ）本発明は人体内部に刺激が及ぶことによって、血行促進、代謝活動の活発化が図られ、腹部のほか、肩こり、腰痛、腕、足などの刺激効果が得られる。
【図面の簡単な説明】
【０００７】
【図１】本発明の正面斜視図である。
【図２】本発明の側面斜視図である。
【発明を実施するための形態】
【０００８】  文中の主材料は、耐久性のある樹脂ボード（厚さ２．４ミリの低発泡ポリエチレン板）である。  「硬質の球体とローラー」は、本実施例では木製（ひのき）であるが、硬質の樹脂、金属その他の耐久性を有する素材が含まれる。
（イ）幅７センチ、長さ６０センチの２枚一組のベルトを形成し、「メインベルト」と名付ける。「メインベルト」の左右の端末部（先端から５，５センチ）に先端から２センチ離して、３０ミリ×３ミリの縦長の孔をあける。この孔にバックルをつけたゴムベルトを通して固定し、ゴムベルトの先端に金属製のフックを設定し、フックをメインベルトのもう一方の先端に設けるボタンボルトに接合させて装着に使う。
（ロ）「メインベルト」の残りの部分の中心線上に、直径３５ミリの円孔を１５ミリの間隔をあけて１０個あける。円孔には直径３０ミリの木製球体（ヒノキダマ）を設定する。球体の直径部分にナイロンコード（線径１．４ミリ）を通して固定し、１０個の球体を数珠繋ぎにして配置し、ナイロンコードをベルトの中心線上にたわみなく張る。ナイロンコードの左右の先端は、ループ状にした直径２０ミリの輪を形成し、輪の口元はワイヤー留め金具（オーバースリーブメタル）を用いて結束し、２枚の樹脂板の左右の端末から４０ミリ内側に、ナイロンコードを結束して作ったループ状の輪がくるようにして、その輪の中心に一方はボタンボルトを、もう一方には普通のボルトを挿入し、ナイロンコードをメインベルトに固定する。ボタンボルトは、装着用のゴムベルトの先端に設けたフックと接続する。ボルトの直径は、５ミリで、ボルトの長さは１０ミリ、ボルトの頭がボタン型である。これに使うナットは袋ナットとし、手指や衣服に傷をつけないようにする。「メインベルト」の２枚の樹脂板は、強力な３Ｍ両面テープにより強く接着する。
（ハ）「メインベルト」と同一仕様のベルトを、もう一組形成し、「ローラーベルト」と名付ける。「ローラーベルト」の端末部（５センチ）には、装着用のゴムベルトを、メインベルトの場合と同じに設定する。ただし、ナイロンコードがない点、僅かな違いがある。「ローラーベルト」に用いるゴムベルトは、「メインベルト」に接続したものより伸び代がやや多い（弾性が弱い）ものにする。また「メインベルト」のゴムベルトと「ローラーベルト」のゴムベルトは、ジョイントの共用や、連結は避ける。
（ニ）「ローラーベルト」の円孔には、長さ２５ミリ、直径２０ミリ、回転軸の内径４ミリの木製ローラーに、直径３ミリ、長さ５０ミリの竹製の回転軸を貫通させ、回転軸をベルトの中心線と直角に樹脂板の間に入れ、固く接着する。木製ローラーの肩（角）は研磨して、円孔の縁に接触しないようにする。
（ホ）「ローラーベルト」の中央部に５センチの間隔をあけて、左右のハンドレバーを「ローラーベルト」と平行に設定する。ハンドレバーは「ローラーベルト」の移動に使う木製の握り手で、家具の引きだし用の持ち手に見られる形状である。長はさ６０〜８０ミリ、太さは直径が２０ミリ、握り手の部分は２５ミリ前後とする。形は丸みを持ち、握り手を上にして、ローラーベルトより３センチほど上に出るように、ボルトで固定する。横から見るとハンドレバーの持ち手は、上部がやや前傾し、ハンドレバーの脚部の根元はベルトに平行に、ボルトによってローラーベルトに強く固定される。ナットは袋ナットを用いる。ここで使うボルトとナットを締めるときには、ゆるみ止めスプレーを吹き付け、ナットの脱落、緩みを無くす。万一のナットのはずれや緩みは、人体を傷つけたり、着衣をいためるから、厳重にチエックする。
（ヘ）「ローラーベルト」の移動は、ハンドレバーに両手を添え、上半身は必ずハンドレバーと同じ方向に向け腹部の運動と共に行う。左右に「ローラーベルト」を移動させ、停止時は力を抜くと、「ローラーベルト」はゴムベルトにより元の位置に引き戻される。これを連続的に行うと、木製ローラーと、木製球体との衝突が連続的に起こり、衝突のエネルギー（衝撃）が腹部の刺激となって働く。
本発明の構成は以上の通りである。
【符号の説明】
【０００９】１．メインベルト    ２．ローラーベルト    ３．木製球体    ４．円孔
５．ローラー    ６．ハンドレバー    ７．ゴムベルト    ８．ボタンボルト
【図１】
2017164432.tif 000003
【図２】
2017164432.tif 000004